Podtech/llm-jp-corpus-v4-ja_patent huggingface dataset:
(57)【要約】【課題】強度があって経年劣化しにくいスティック砥石を提供すること。【解決手段】スティック砥石１を長尺の板材の少なくとも先端寄りを屈曲させて先端寄り領域を砥石取り付け面３としたアルミ合金製の柄２と、同柄２の砥石取り付け面３に取り付けられ砥石取り付け面３の先端縁及び左右両縁から外方に張り出しているセラミック砥粒の入ったゴム製の弾性砥石５から構成した。このような構成とすることで柄の先端寄りが屈曲あるいは湾曲しているため操作しやすく、またアルミ合金製であるため強度があり経年劣化しにくいスティック砥石を提供できることとなる。【選択図】      図３
0003151058.tif 000002
【実用新案登録請求の範囲】
【請求項１】
長尺の板材を湾曲あるいは少なくとも先端寄りを屈曲させて先端寄り領域を砥石取り付け面としたアルミ合金製の柄と、同柄の前記砥石取り付け面に取り付けられた弾性砥石からなることを特徴とするスティック砥石。
【請求項２】
前記弾性砥石は前記砥石取り付け面の先端縁及び左右両縁から外方に張り出していることを特徴とする請求項１に記載のスティック砥石。
【請求項３】
前記弾性砥石は直方体形状をなしていることを特徴とする請求項１又は２に記載のスティック砥石。
【考案の詳細な説明】
【技術分野】
【０００１】
本考案は棒状の柄の前端寄りに砥石を装着したスティック砥石に関するものである。
【背景技術】
【０００２】
ワークのさびや汚れあるいは傷を取ったり磨いたりする工具として作業者が手で操作するスティック砥石がある。スティック砥石は棒状の柄の前端寄りに砥石を装着し、柄の後端を握って操作するものである。
【考案の開示】
【考案が解決しようとする課題】
【０００３】
しかし、従来のスティック砥石は柄が竹製や木製であったりプラスチック製であったりしていた。そのため、強度の点で竹製や木製は必ずしも十分ではなく、プラスチック製では経年劣化しやすく長持ちしなかった。そのため、強度があって経年劣化しにくいスティック砥石が求められていた。
【課題を解決するための手段】
【０００４】
上記の目的を達成するための第１の手段として、スティック砥石を長尺の板材を湾曲あるいは少なくとも先端寄りを屈曲させて先端寄り領域を砥石取り付け面としたアルミ合金製の柄と、同柄の前記砥石取り付け面に取り付けられた弾性砥石から構成したことをその要旨とする。
このような構成では、柄がアルミ合金製であるため強度があり使用環境が必ずしもよくない場所で使用したとしても経年劣化しにくい。また、リサイクル性も高い。また、長尺の板材を湾曲させ、あるいは先端寄りを屈曲させているため作業者が柄を握った際にワークと柄の間に指を入れた状態でワークに弾性砥石前面を当接させることができ、非常に操作しやすく、力も入れやすくなる。尚、屈曲ははっきりした折り目がなくともよい。
第２の手段では第１の手段に加え、前記弾性砥石は前記砥石取り付け面の先端縁及び左右両縁から外方に張り出していることをその要旨とする。これによって弾性砥石の前面だけでなく、弾性砥石の上側面と左右側面でも柄を気にせずワークを加工することが可能である。
第３の手段では第１又は第２の手段に加え、前記弾性砥石は直方体形状をなしていることをその要旨とする。弾性砥石は直方体形状であるため平坦な加工面や角部が正確に設定されるため、加工精度が向上する。
【考案の効果】
【０００５】
上記各請求項の考案のスティック砥石では、柄の先端寄りが屈曲あるいは湾曲しているため操作しやすくアルミ合金製であるため強度があり経年劣化しにくい。
【図面の簡単な説明】
【０００６】
【図１】本実施例のスティック砥石の側面図。
【図２】同じスティック砥石の上半身の背面図。
【図３】同じスティック砥石の斜視図。
【図４】他の実施例のスティック砥石の横断面図。
【考案を実施するための最良の形態】
【０００７】
以下、本考案におけるスティック砥石を具体化した一実施例を図面に基づいて説明する。
図１〜図３に示すように、スティック砥石１は横断面長方形の長尺のアルミ合金製の長尺の柄２を備えている。柄２は直線状の棒体の先端寄りの１／３程度の位置で屈曲されており、屈曲位置から先端側外面が砥石取り付け面３とされている。柄２において屈曲位置から後方側は把持部４とされている。砥石取り付け面３に対する把持部４の角度は２０度程度とされている。
砥石取り付け面３にはセラミック砥粒の入ったゴム製の弾性砥石５が貼着されている。弾性砥石５は直方体形状をなし、加工面として砥石取り付け面３に対し平行に配置される前面５ａと、同前面５ａと直交する上側面５ｂと左右側面５ｃ、５ｄを備えている。弾性砥石５は砥石取り付け面３の面積よりも若干大きな平面形状とされている。そのため、弾性砥石５は固着状態で図２に示すように砥石取り付け面３の先端縁及び左右両縁から上側面５ｂと左右側面５ｃ、５ｄが外方に張り出している。
把持部４の後端寄り位置には吊り下げ用の透孔６が形成されている。
【０００８】
このようなスティック砥石１では柄２がアルミ合金製であるため、強度に優れリサイクル性も高く使用環境が必ずしもよくない場所で使用したとしても経年劣化しにくいものである。また、砥石取り付け面３に対し把持部４に角度があるため、ワークと把持部４の間に指を入れてワークに弾性砥石前面５ａを当接させることができるため、力を入れて研磨作業をすることができる。また、弾性砥石５の上側面５ｂと左右側面５ｃ、５ｄは砥石取り付け面３からはみ出ているため柄を気にせずワークを加工することが可能である。
【０００９】
尚、この発明は，次のように変更して具体化することも可能である。
・柄２の形状は上記に限定されない。例えば横断面楕円形状でもよい。
・上記実施例では弾性砥石５は直方体形状、つまり横断面長方形形状とされていたが、図４（ａ）〜（ｄ）に示すような断面形状の弾性砥石５であっても構わない。
・把持部４の角度は適宜変更可能である。
・弾性砥石５の形状の変更も可能である。
・柄２は上記実施例では屈曲させたが、全体あるいは一部を湾曲させてその先端寄りに弾性砥石を固着するようにしてもよい。
その他、本発明の趣旨を逸脱しない態様で実施することは自由である。
【符号の説明】
【００１０】
１…スティック砥石、２…柄、３…砥石取り付け面、５…弾性砥石。
【図１】
0003151058.tif 000003
【図２】
0003151058.tif 000004
【図３】
0003151058.tif 000005
【図４】
0003151058.tif 000006
(57)【要約】      （修正有）【課題】立体的である従来のメガホンを団扇としても使えるようにしたメガホン団扇を提供する。【解決手段】メガホンの中心に折り目を入れ、平らに畳むことができる形状にしたことを特徴とする。これにより、使用しない時の持ち運びの時点に感じる不自由さを軽減できるものである。そして、この形状にすることにより畳まれた時の形が団扇の形となり炎天下に於ける競技場などでは、団扇、扇子同様の使い方により涼風を得ることが出来るものである。【選択図】図１
0003151080.tif 000002
【実用新案登録請求の範囲】
【請求項１】
従来からあるメガホンと団扇の各々の使用目的を本考案は同一単品により、両方の使用目的を可能にした製品。
【考案の詳細な説明】
【技術分野】
【０００１】  本考案は声を拡大し、より前方に声を届かせる道具のメガホンに関するものである。
【背景技術】
【０００２】  従来のメガホンの形状は立体的なものに限定されていた。
【考案の開示】
【考案が解決しようとする課題】
【０００３】  従来のメガホンは形状的に使用がそれのみに限られていた。そのために使用が終わっ時点に於いて持ち運びに不自由を感じる人が少なからず居るのではないかと思われる。
た。
【課題を解決するための手段】
【０００４】  そこで本考案は、従来の立体的な形状に限られたメガホンを平時は畳まれた状態で全くの平らな形になりバックなどの中に容易に収容しやすくしたものである。
【考案の効果】
【０００５】  メガホンを本考案の形状にすることにより、使用しない時の持ち運びの時点に感じる不自由さを軽減できるものである。そして、この形状にすることにより畳まれた時の形が団扇の形となり炎天かに於ける競技場などでは、団扇、扇子同様の使い方により涼風を得ることが出来るものである。
又、運搬時の数量も従来の立体的な製品に較べて多量になるものである。
そのうえに厚紙かそれと同質の材料で製造することが出来るので生産コストも安価に押さえられると考えられる。
【考案を実施するための最良の形態】
【０００６】  本考案の図１の形状が適しているものと思われる。
図１は本考案を畳み平面の状態を示している。中心に折り目が入っていてＡ．Ａ′から力を加えることにより図２の形状になってメガホンとして使用出来るものである。
１に示す部分は切り取ってあり、形が変わることによって生じる無理な部分をここで吸収するようにしている。
団扇として使用するときは畳まれた状態にして細い部分を握り涼風を送る。
【図面の簡単な説明】
【０００７】
【図１】  本考案を畳み平たい状態の団扇状の形。
【図２】  本考案をメガホンにした状態の斜め前方からの斜視図。
【符号の説明】
【０００８】  １    切り取った部分
２    広がるための折り目
Ａ    力を加える部分
Ａ′  力を加える部分
【図１】
0003151080.tif 000003
【図２】
0003151080.tif 000004
【手続補正書】
【提出日】平成20年4月22日(2008.4.22)
【手続補正１】
【補正対象書類名】実用新案登録請求の範囲
【補正対象項目名】全文
【補正方法】変更
【補正の内容】
【実用新案登録請求の範囲】
【請求項１】
従来から使用されているメガホンは立体な形状をしている。反して団扇は、その使用目的から平面の形状を有さなければならない。相反する形状の物体を、立体的なメガホンに平面になる構造を持たせ、平面になった形状のものを団扇の代用として使用できるようにするものである。
【手続補正３】
【補正対象書類名】明細書
【補正対象項目名】全文
【補正方法】変更
【補正の内容】
【考案の詳細な説明】
【技術分野】
【０００１】  本考案は声を拡大し、より前方に声を届かせる道具のメガホンに関するものである。
【背景技術】
【０００２】  従来のメガホンの形状は立体的なものに限定されていた。
【考案の開示】
【考案が解決しようとする課題】
【０００３】  従来のメガホンは形状的に使用がそれのみに限られていた。そのために使用が終わった時点に於いて立体であるために持ち運びに不自由を感じる人が少なからず居るのではないかと思われる。また、何かを道具を使用して涼風を得たいと考える人も多数居るものと予測される
【課題を解決するための手段】
【０００４】  そこで本考案は、従来の立体的な形状に限られたメガホンを平時は畳まれた状態で全くの平らな形になりバックなどの中に容易に収容しやすくしたものである。
【考案の効果】
【０００５】  メガホンを本考案の形状にすることにより、使用しない時の持ち運びの時点に感じる不自由さを軽減できるものである。そして、この形状にすることにより畳まれた時の形が団扇の形となり炎天下に於ける競技場などでは、団扇、扇子同様の使い方により涼風を得ることが出来るものである。
又、運搬時の数量も従来の立体的な製品に較べて多量になるものである。
そのうえに厚紙かそれと同質の材料で製造することが出来るので生産コストも安価に押さえられると考えられる。
【考案を実施するための最良の形態】
【０００６】  本考案の図１の形状が適しているものと思われる。
図１は本考案を畳み平面の状態を示している。中心に外側になる山折りの折り目が入れてある。Ａ．Ａ′から力を加えることにより図２の形状になってメガホンとして使用出来るものである。
１に示す部分は切り取ってあり、形が変わることによって生じる無理な部分をここで吸収するようにしてある。
団扇として使用するときは畳まれた状態にして細い部分を握り涼風を送る。
【図面の簡単な説明】
【０００７】
【図１】  本考案を畳み平たい状態の真横から見た団扇状の形。
【図２】  本考案にＡ．Ａ′から力を加え開いてメガホンにした状態の斜め前方からの斜視図。
【符号の説明】
【０００８】    １    平面から立体に形状が変わり生じる無理な部分を吸収するために切り取った部分
２    広がるための外に山折りの折り目
３    団扇として握る細い部分
Ａ    力を加える部分
Ａ′  力を加える部分
【手続補正４】
【補正対象書類名】図面
【補正対象項目名】全図
【補正方法】変更
【補正の内容】
【図１】
0003151080.tif 000005
【図２】
0003151080.tif 000006
【手続補正書】
【提出日】平成20年7月31日(2008.7.31)
【手続補正１】
【補正対象書類名】実用新案登録請求の範囲
【補正対象項目名】全文
【補正方法】変更
【補正の内容】
【実用新案登録請求の範囲】
【請求項１】
「メガホンにおいて、
（１）メガホンはその使用目的を満たすために立体的な形状になっている、
（２）団扇はその使用目的から平面であるのが最良の形状と思われる、
（３）両端から力を加えて押し広げた形がメガホンの代用となるように同型の２枚を重ね両端を張り合わせた構造の物品が本考案である、
（４）平素時は畳まれた平面状になっていて団扇として使用できる、
（５）本考案を両端から力を加えることにより中心線にガイドのために設けられた山折りに作用する折り目によって立体的に形を変える、
以上からなるメガホン団扇。」
(57)【要約】      （修正有）【課題】脱水かご付き水桶構造を提供する。【解決手段】水桶１の両側の対応側には、突起の対向する耳嵌め１１があり、耳嵌めの上には、取っ手の両側の突出ボタン２１が差し込み、連結するための貫通孔１１１が設けられる脱水かご付き水桶構造であり、水桶の両側には、高さの違う高開口部１２と低開口部１３が形成され、取っ手の片側と水桶の低開口部との対称とするところにはそれぞれ、相互に嵌め合わせ可能な凹凸槽からなる嵌合部１４，２２があり、取っ手の内側縁はほぼ、水桶内壁１５にぴったり貼り合せ、水桶の両側を同じ高さに形成し、それによって、水桶を安定に積み重ね、体積をコンパクトにし、脱水かごの回転脱水時に、遠心的に飛び出された水滴が低開口部から出てくることを有効に止めることができるように構成する。【選択図】図１
0003151002.tif 000002
【実用新案登録請求の範囲】
【請求項１】
水桶の両側の対応側には、突起の対向する耳嵌めがあり、耳嵌めの上には、取っ手の両側の突出ボタンが差し込み、連結するための貫通孔が設けられる脱水かご付き水桶構造であり、水桶の両側には、高さの違う高開口部と低開口部が形成され、取っ手の片側と水桶の低開口部との対称するところにはそれぞれ、相互に嵌め合わせ可能な凹凸槽からなる嵌合部があり、取っ手の内側縁はほぼ、水桶内壁にぴったり貼り合せ、水桶の両側を同じ高さに形成し、それによって、水桶を安定に積み重ね、体積をコンパクトにし、脱水かごの回転脱水時に、遠心的に飛び出された水滴が低開口部から出てくることを有効に止めることができることを特徴とする脱水かご付き水桶構造。
【考案の詳細な説明】
【技術分野】
【０００１】
本考案は、脱水かご付き水桶構造に関わり、特に取っ手を有する回転式脱水かご付き水桶構造に関し、家庭用掃除道具技術分野に属するものである。  
【背景技術】
【０００２】
近頃、長い保持具の底部に装着した回転可能な円盤式分布の綿糸モップヘッドが販売されているが、該モップヘッドは汚れたとき、水桶の受水槽で洗濯し、遠心式回転の脱水かごへ入れ、脱水の回転を行うことになるが、モップヘッドの洗濯過程で、手などモップに触れる必要がないため、当該商品が家庭主婦に広く受け入れているが、本考案は、従来の商品の水桶部（図６）をより実用性のあるものにしたものである。
【０００３】
また、上述の水桶構造は、実際の製造や運搬のとき、実際の使用上、次の欠点があったが、例えば、従来の水桶は、開口部が同じ高さで設けられるため、水平状態に置かれたとき、該取っ手が桶開口部の片側に突出することとなり、当該水桶が組合せたあと、使用されているとき、取っ手の突出した状態が使用機能にも影響するが、そこで、問題となったのが、該水桶が成形されたが、組み合わせる前であった。そういう水桶本体を、倉庫に入れ、重ね置くとき、または、コンテナの中に積み重ね、運ぶとき、該桶開口部の取っ手が桶開口部の片側にそのまま突出して、置かれた場合、重ねた水桶の間に隙間があるため、堆積物がうまく重ねられず、傾けた状態となり、また取っ手が揺れ動きたりするので、運ばれたとき、騒音が起こり、経済的な効果がないということで、それを改善しなければならない。
【考案の概要】
【考案が解決しようとする課題】
【０００４】
本考案は、脱水かご付き水桶構造を提供する。
【課題を解決するための手段】
【０００５】
水桶と取っ手を組合せたオリジナル設計で、産業的利用価値が向上するものであり、水桶の両側の対応側には、突起の対向する耳嵌めがあり、耳嵌めの上には、取っ手の両側の突出ボタンが差し込み、連結するための貫通孔が設けられる脱水かご付き水桶構造であり、水桶の両側には、高さの違う高開口部と低開口部が形成され、低開口部は、取っ手としっかりと嵌め合わせられ、水桶の両側が同じ高さになり、それによって、水桶を安定に積み重ね、体積をコンパクトにすると同時に、特に遠心的に飛び出された水滴が低開口部から出てくることを有効に止めることができることを特徴とする脱水かご付き水桶構造。
【０００６】
本考案のもう一つの目的は、取っ手の片側と水桶の低開口部との対称するところにはそれぞれ、相互に嵌め合わせ可能な凹凸槽をしっかり合わせることができる脱水かご付き水桶構造を提供する。  
【図面の簡単な説明】
【０００７】
【図１】本考案の脱水かご付き立体図。
【図２】本考案の水桶立体図。
【図３】本考案の水桶の平面イメージ。
【図４】本考案の水桶の重ね置きイメージ。
【図５】本考案の取っ手の断面図。
【図６】従来の脱水かご付き水桶イメージ。
【考案を実施するための形態】
【０００８】
図１は、本考案の脱水かご付き水桶構造であり、水桶１本体の両側の対応側には、突起の対向する耳嵌め１１があり、耳嵌め１１の上には、取っ手２の両側の突出ボタン２１が差し込み、連結するための貫通孔１１１が設けられており、水桶１の両側には、高さの違う高開口部１２と低開口部１３が形成され、低開口部１３は、取っ手２が水平に置かれることによって、嵌め合わせるようになり、低開口部１３と取っ手２との嵌め合わせによって、水桶の両側が同じ高さとなり、水桶１の本体が安定に縦向きに積み重ねられることを特徴とする。
【０００９】
また、水桶１の低開口部１３と取っ手２の片側との対称するところには、それぞれ嵌合部１４、２２が設けられ、しかも凹凸槽で相互に嵌め合わせられ、しっかりと合わせるように設けられるが、そこで取っ手２が水桶１の低開口部１３に突き止められ、それによって水桶１を安定に積み重ね、体積をコンパクトにすると同時に、脱水かご３の回転脱水時に、遠心的に飛び出された水滴が低桶口部１３から出てくることを有効に止めることができる。  
【００１０】
それに付け加えて説明するが、本考案に掲示した水桶の積み重ね可能構造は、脱水かごと踏み板４を組合せる前の積み重ねであり、すなわち、取っ手の片側が水桶の低開口部に突き合せたとき、該取っ手の他方側は、水桶の高開口部とほぼ同じ高さとなり、そして、該取っ手の内側縁２３は、ほぼ水桶内壁１５にぴったりと張り合わせ、その上、水桶１とその動力室１６との枠壁１７はいずれも、比較的に大きな開口部の環錐形となり、それによって水桶を安定に積み重ね、体積をコンパクトにすることができる。
【００１１】
また、脱水かごの回転によって、モップの水絞りが遠心的に行われているとき、置かれ取っ手が平らに置かれ、その高さが水桶の高開口部とほぼ同じなので、脱水かごの回転脱水時に、遠心的に飛び出された水滴が低開口部から出てくることを有効に止めることができる。
【符号の説明】
【００１２】
１      水桶
２      取っ手
４      踏み板
１１    耳嵌め
１２    高開口部
１３    低開口部
１４、２２    嵌合部
１５    水桶内壁
１６    動力室
１７    枠壁
２１    突出ボタン
２３    内側縁
１１１  貫通孔
【図１】
0003151002.tif 000003
【図２】
0003151002.tif 000004
【図３】
0003151002.tif 000005
【図４】
0003151002.tif 000006
【図５】
0003151002.tif 000007
【図６】
0003151002.tif 000008
(57)【要約】【課題】本案の目的は、粉体を排出口から受容器へ充填する際に、低費用で排出口や受容器周辺に粉塵を浮遊及び付着させずにロスなく粉体を充填することが出来る粉塵防除充填装置を提供することにある。【解決手段】粉体の排出口ｃに、外周面に複数の孔ｂを有し、その孔が吸引口ｅを減圧にすることにより、負圧になる粉塵防除フードａとその孔に負圧により密着する粉体受容器としてのプラスチック袋ｄからなることを特徴とする粉塵防除充填装置【選択図】図４
0003151019.tif 000002
【実用新案登録請求の範囲】
【請求項１】
粉体の排出口に設けられ、外周面に複数の孔を有し、その孔が減圧により負圧になる粉塵防除フードとその孔に負圧により密着する粉体を受容するプラスチック袋からなることを特徴とする粉塵防除充填装置。
【考案の詳細な説明】
【技術分野】
【０００１】
本案は、粉体充填時に粉塵を排出口や受容器周辺に浮遊及び付着する事なく充填を行うことが出来る粉塵防除充填装置に関するものである。
【背景技術】
【０００２】
従来の粉体充填時の粉塵防除の方法としては、排出口にフードやホッパーを取り付ける方法や更にフードやホッパー自身に吸塵の為の減圧管を設けて出来るだけフードやホッパー内に粉塵を集め、粉塵を周囲に浮遊させないような方法があった。又、ホッパー内に滞留したり、ホッパー自身に付着した粉塵をエアーにより強制的に下方に叩き落す粉塵防除装置（特許文献１）も提案されている。
【特許文献１】実登３１３０１７４号公報
【０００３】
ところが、いずれの方法においてもフードやホッパーと受容器の間の空隙を通して漏れ出る粉塵の浮遊を完全に防ぐ事が出来なかった。その為に、粉体の充填時には粉塵による眼・鼻・口・皮膚への暴露を防ぐ為に場合によっては、大掛かりな防護服や集塵装置を必要としたり、充填後にはフードやホッパーや受容器とその周辺に付着した粉塵を除去する為に非常に手間のかかる清掃が避けられなかった。加えて浮遊や付着した粉塵は製品のロスになる為に経済的な損失も無視できなかった。
【考案の開示】
【考案が解決しようとする課題】
【０００４】
この考案が解決しようとする課題は、粉体を排出口から受容器へ充填する際に、低費用で排出口や受容器周辺に粉塵を浮遊及び付着させずにロスなく粉体を充填することが出来る粉塵防除充填装置を提供することにある。
【課題を解決するための手段】
【０００５】
本考案は上記課題を解決するものであって、粉体の排出口ｃに、外周面に複数の孔ｂを有し、その孔が吸引口ｅを減圧にすることにより、負圧になる粉塵防除フードａとその孔に負圧により密着する粉体受容器としてのプラスチック袋ｄからなることを特徴とする粉塵防除充填装置である。
【０００６】
本考案における粉塵防除フードａは、外周面に複数の孔ｂを有し、粉塵防除フード内
及び粉体受容器としてのプラスチック袋ｄ内を減圧可能とするものであればよい。
【０００７】
本考案における孔ｂは、粉塵防除フードａの外周面に複数設けられ、フード内を減圧にした際に負圧によりプラスチック袋ｄの開放部先端を外周面に密着させることができれば、設ける位置や孔の大きさは特に限定されない。
【０００８】
本考案における粉体受容器としてのプラスチック袋ｄは、防除フードａの外周面に複数設けられた孔ｂに負圧により密着させることができれば、その材質、形および色について特に限定されない。  また粉体受容器としてのプラスチック袋ｄは、通常、充填用容器ｆに内装されている。
【考案の効果】
【０００９】
上記の粉塵防除充填装置を用いる事によって、粉体を粉塵防除フード排出口ｈから粉体受容器へ充填することにより、低費用で排出口や粉体受容器周辺に粉塵を浮遊及び付着させずにロスなく粉体を充填することが出来る。
【考案を実施するための最良の形態】
【００１０】
本考案の粉塵防除充填装置は、粉体の排出口ｃに設けられた粉塵防除フード内を負圧とすることにより、粉塵防除フードａの外周面に設けられた孔ｂに粉体受容器としてのプラスチック袋ｄの内部および開放口上部周辺の粉塵を防除する。
【図面の簡単な説明】
【００１１】
【図１】本考案の粉塵防除充填装置における粉塵防除フードの具体的一実施例の正面図である。
【図２】本考案の粉塵防除充填装置における粉塵防除フードの具体的一実施例の上面図である。
【図３】図２のＡ−Ａ’断面図である。
【図４】本考案の  本考案の粉塵防除充填装置を充填口に設置した場合の具体的一実施例の正面図である。
【実施例】
【００１２】
以下、添付図に従って、一実施例を説明する。  本考案に係る粉塵防除充填装置は、図４に示す通り取り付けられる。  図４において粉塵防除フードａは排出口ｃに設けられ、粉体受容器としてのプラスチック袋ｄの開口部の先端が粉塵防除フードａの外周面に設けられた孔ｂを覆うようにセットされる。
使用時には、粉体受容器としてのプラスチック袋ｄと粉塵防除フードａの外周面に設けられた孔ｂは密着され、吸引口ｅを減圧にすることにより、粉塵防除フードａの下方にある粉塵防除フード排出口ｈと粉体受容器としてのプラスチック袋ｄとの空間が負圧になり、プラスチック袋ｄの内部および開放口上部周辺の粉塵を防除する。
【符号の説明】
【００１３】
ａ：粉塵防除フード
ｂ：孔
ｃ：排出口
ｄ：プラスチック袋
ｅ：吸引口
ｆ：充填用容器
ｇ：充填物
ｈ：粉塵防除フード排出口
【図１】
0003151019.tif 000003
【図２】
0003151019.tif 000004
【図３】
0003151019.tif 000005
【図４】
0003151019.tif 000006
(57)【要約】      （修正有）【課題】バケット軸の回転位置を検出するポテンショメータをバケット軸より、離れた位置に設置して、土砂などの接触による故障を無くし、アタッチメント交換時において、バケット軸、リンク軸を脱着しても分解する必要がない角度検出装置を提案する。【解決手段】リンク軸近傍に取り付け、バケットの４節リンク構造と同じ比率で４節リンクを小型に構成し、前記バケットの４節リンクと前記小型に構成された４節リンクの各々対応する節どうし平行になるように、アイドラリンクに前記小型の４節リンクをロッドで接続し、バケット軸に対応する位置にポテンショメータを配置し、バケット軸と同じ回転角度を検出する構成とした。【選択図】図１
0003151018.tif 000002
【実用新案登録請求の範囲】
【請求項１】
バックホウのバケットの回転角度を検出する装置であって、バケットの４節リンク構造と同じ比率で４節リンクを小型に構成し、前記バケットの４節リンクと前記小型に構成された４節リンクの各々対応する節どうし平行になるように、アイドラリンクに前記小型の４節リンクをロッドで接続し、バケット軸に対応する位置にポテンショメータを配置し、バケット軸と同じ回転角度を検出することを特徴とする角度検出装置。
【考案の詳細な説明】
【技術分野】
【０００１】
本発明は、土木建築業などに使用される建設機械であるバックホウにおいて、制御もしくは位置の検知のためにバケットの回転量を電気的に検出するバケット用のポテンショメータ型の角度検出装置に関するものである。
【背景技術】
【０００２】
従来は、バケット軸に直接取り付けた角度検出装置はなく、アイドラリンクにロッドを連結したり、リンク軸に直接取り付けたりしてバケット軸の近似値をアイドラリンクで検出していた。アームとブームに関しては、その支軸もしくは支軸近傍に取り付けられていた。
【０００３】
しかしながら、今までの角度検出装置によって得られる検出値は、精度の細かい制御用ではなくて、オフセットブームを持つ小旋回型のバックホウのバケットと運転室の接触を回避するためのもので、余裕値を大きくとっていたので、バケット軸の角度検出でなくとも、リンク軸でもかまわなかった。
【特許文献１】実開平５−４０８０４
【考案の開示】
【考案が解決しようとする課題】
【０００４】
バケット軸近傍に取り付けると、バケットにすくった土砂、石などに直接接触する場合が多く、故障の原因になる。また、バックホウは作業する内容によって、バケットを取り換える場合が多い。たとえば、掘削幅の狭いところを掘るバケットの幅の狭いバケット、法面バケット、コンクリート塊を割るコンクリートブレーカー、木などをつかむアイアンフォークなど用途に応じてバケットを変える場合が多い。そのアタッチメントを交換する場合、バケット軸またはリンク軸を一度抜かなければならない。抜く場合にそれらの軸を大ハンマーで叩いて抜く、もしくは叩いて軸を入れなければならない。そのため、バケット軸とリンク軸にポテンショメータが直接組み込まれているとその都度、部品をばらさなければならない。この二つの問題を解決するために、考案されたものである。
【課題を解決するための手段】
【０００５】
バックホウのバケットの回転角度を検出する装置であって、バケットの４節リンク構造と同じ比率で４節リンクを小型に構成し、前記バケットの４節リンクと前記小型に構成された４節リンクの各々対応する節どうし平行になるように、アイドラリンクに前記小型の４節リンクをロッドで接続し、バケット軸に対応する位置にポテンショメータを配置し、バケット軸と同じ回転角度を検出することを特徴とする角度検出装置をリンク軸近傍に取り付ける構成とした。
【考案の効果】
【０００６】
バケットに接続された４節リンク構造の上側に取り付けられたので、バケットにすくった土砂などを浴びることなく、また４節リンク構造のアイドラリンクに接続したので、アタッチメント交換時の軸の引き抜きおよび打ち込みに際しても角度検出装置をばらさなくとも良くなった。結果、整備性が良く、バケット軸の角度を検出できるようになった。
【考案を実施するための最良の形態】
【０００７】
図３は、本考案の角度検出装置１の全体側面図である。バックホウ８のアーム３にバケット４が接続されており、バケットシリンダ５の伸縮運動をアイドラリンク６，リンク７によってバケット４を回転させる構造となっている。図１は、本考案の角度検出装置１の側面図である。本考案のリンク構造の角度検出装置１は、リンク軸６１よりバケット反対方向に取り付けられている。また前記角度検出装置１は、バケット４節リンク構造を同比率で縮小した構造で、各対応する節どうし平行になるように構成されている。ポテンショメータ２は、縮小した構造の中でバケット軸４２の位置に配置されて、バケット軸４２の回転と同じ動きをして、回転角度を電気的に検出するようになっている。
【０００８】
図２は、本考案の角度検出装置の構造図である。バケット４節リンク構造は、６,７,３１,４１で構成されている。４２は、バケット軸である。回転センサの各節は、前記バケット４節リンク構造の各節を同比率で縮小した構造となっており、各対応する節は平行である。６と６a,７と７a,４１と４１a,３１と３１aは、平行に構成されている。よってバケット軸４２とポテンショメータ２は同じ回転動作をする。
【図面の簡単な説明】
【０００９】
【図１】本考案の角度検出装置の側面図である。
【図２】本考案の角度検出装置の構造図である。
【図３】本考案の角度検出装置の全体側面図である。
【符号の説明】
【００１０】
１    角度検出装置
２    ポテンショメータ
３    アーム
４    バケット
４２  バケット軸
５    バケットシリンダ
６    アイドラリンク
６１  リンク軸
７    リンク
８    バックホウ
９    カバー
θ    バケット角度
【図１】
0003151018.tif 000003
【図２】
0003151018.tif 000004
【図３】
0003151018.tif 000005
(57)【要約】【課題】  ルアー本体の持っている泳ぎを損なわず、無回転時でも反射による集魚効果が得られるルアー用ブレードを提供する。【解決手段】  ブレード本体１のリング用穴を通る中心軸に対して表裏対称な形状とすることにより、両面に均一な水流が当たり、ルアーの動きを損なわずに反射効果が得られる。さらに、ブレード１の側面４の肉厚ｔを厚くすることにより反射面が増えて多面体となり、ルアー停止時においても、多角的な反射による集魚効果を得ることができる。【選択図】  図１
0003151012.tif 000002
【実用新案登録請求の範囲】
【請求項１】
ブレード本体と、前記ブレード本体に設けられたリング用穴とを有し、ブレード本体の幅形状は前記リング穴を通る幅中心軸において対称で、厚み形状は厚さ中心軸に対して表裏対称な形状を特徴としたルアー用ブレード。
【請求項２】
表裏両面の表面処理が同様に処理されている請求項１記載のルアー用ブレード。
【請求項３】
厚さを1ｍｍ〜5ｍｍとし、反射面として形成されたことを特徴とする請求項１または２記載のルアー用ブレード。
【請求項４】
ルアーへの取り付け部となるリング用の穴の周りの部分の肉厚を薄くした請求項１記載のルアー用ブレード。
【考案の詳細な説明】
【技術分野】
【０００１】
本考案は、ルアー釣りに用いられるルアーに、部品として取り付けられるブレードに関するものである。
【背景技術】
【０００２】
ルアーのブレードは、通常スピナーおよびスピナーベイトと呼ばれる形式のルアーに、回転可能に取り付けられるもので、偏平な形状をなしていて、ルアーが水中を引かれたときに回転して、魚を誘うものである。
【先行技術文献】
【特許文献】
【０００３】
【特許文献１】特開平10-210890号公報
【考案の概要】
【考案が解決しようとする課題】
【０００４】
解決しようとする問題点は、ブレードの回転は一方向になるため、ルアー本体の泳ぎに偏りが生じてしまう点である。目的は回転を防いで、反射効果を高めたルアー用ブレードである。
【課題を解決するための手段】
【０００５】
本考案は、左右均等に水流を分けて進むルアーと同じ作用を持つよう、リング用穴を通る中心軸すなわち進行方向の中心軸に対して、表裏対称とした形状を最も主要な特徴とする。
【考案の効果】
【０００６】
本考案の表裏対称な形状により、表裏の区別なくどちらの面にも対等に水流が当たるようにしたため、非回転目的のブレードとして、ルアー本体の持つ動きを損なうことなく、反射効果が得られる。
【図面の簡単な説明】
【０００７】
【図１】図１は本考案のルアー用ブレードの実施形態における構成例を示す。（Ａ）は平面図、（Ｂ）は側面図である。
【図２】図２は本考案のルアー用ブレードの実施形態における構成例を示す。（Ａ）は平面図、（Ｂ）は側面図である。
【図３】図３は本考案のルアー用ブレードを装着したルアーの全体構成を示す図である。
【考案を実施するための形態】
【０００８】
ブレードの回転を伴わず、表裏の両面に均等な反射効果が得られ従来よりも厚みを持たせることで、反射面が増え、ルアー停止時にも多面による反射効果を実現した。
【実施例１】
【０００９】
図1は本考案のルアー用ブレードの実施例を示す。このブレード本体1は、後述の図3で示すように、ルアー本体に取り付けて使用されるものである。ブレード本体1は図1（Ａ）のように、外周縁すなわち幅の形状はリング用穴５を通る幅中心軸Ｒに対して概ね対称形とされており、また図1（Ｂ）に示すように、側面における厚みｔにおいても厚み中心軸Ｒに対して表裏対称となるように形成されている。
【００１０】
また、このブレード本体1においては、表面２と裏面３との両面に均等に水流が当たるように両面に対して同様の表面処理がなされている。
【００１１】
また、このブレード本体1においては図1（Ｂ）に示す厚みｔの大きさを1ｍｍ〜5ｍｍに設定することにより、ルアー本体の泳ぎを損なわずにブレードの回転を防ぐことができる。この場合の厚みｔに対する、ブレード本体１の最も幅広の部分（Ｗmax）の比率は、1：5〜1：12の範囲であることが理想である。
【００１２】
また、このブレード本体1においては厚みｔを1ｍｍ以上とすることにより、側面４の反射も期待できる。
【００１３】
また、このブレード本体1においては、ルアー本体と連続するためのリング用の穴5を設けているが、この穴５の周囲の肉厚を薄くすることにより、より小さいリングを使うことができる。つまり、穴５の直径も小さくすることが可能となり、連結部分の余分な動きを制約し、回転を防ぐ効果を高めることができる。
【００１４】
ところで、ブレード本体1の形成材料については、アルミニウムなどの軽金属やプラスチック樹脂、貝殻や骨、石や木などの天然素材を用いることができるが、水中で使うルアーの泳ぎを損なわないよう、水の比重に近い素材が望ましい。
【００１５】
図３は前記実施例１のブレード本体1を用いたルアー本体への装着の実施例を示す。ルアー本体６はリング７とスイベル８によって連結されている。ラインアイ10に結ばれているライン11を引っ張ることにより、ルアー本体６が泳ぎ、その後部に取り付けられているブレード本体１も動く。
【００１６】
なお、前記各実施例におけるブレード本体1の回転を防ぐ効果により、回転可能な機能を持つスイベル８に連結されている場合でも、ブレード本体１は回転せずにヒラヒラとして反射による集魚効果を得ることができる。
【実施例２】
【００１７】
更に図2の実施例に示すように、外周縁の形状を多角形にすることにより、側面4も多面となり、より多くの反射面を持つことができる。つまり、ブレードが無回転時でも、多方向への反射効果を発揮する。
【符号の説明】
【００１８】
１  ブレード本体
２  表面
３  裏面
４  側面
５  リング用穴
６  ルアー本体
７  リング
８  スイベル
10  ラインアイ
11  ライン
【図１】
0003151012.tif 000003
【図２】
0003151012.tif 000004
【図３】
0003151012.tif 000005
(57)【要約】      （修正有）【課題】発熱体に充分な空気を与えると共に本体が高温になることを防ぐ保温器を提供する。【解決手段】本体は耐熱性素材からなる、中空に形成し裏側に凹凸部を設け、接着剤を有する発熱体を貼る。発熱体から突起体又は凹凸体を介して本体表面に伝熱する為高温になることを防ぐ。本体１は、耐熱性素材、陶磁器製で中空形成なる裏側に凹凸部１Ａが複数ありこの凹凸部１Ａの表面の平ら部分に発熱体２を接触させる。発熱体２には接着剤が塗布されており、発熱体２を本体１に押しつけることにより熱が伝わる。凹凸部は、本体の一部に溝を設けることによって形成されている。【選択図】図１
0003151088.tif 000002
【実用新案登録請求の範囲】
【請求項１】
本体と、前記本体の裏側に凹凸部を設け、前記凹凸部に接着剤を有する発熱体を貼ることを特徴とする保温器。
【請求項２】
凹凸部は本体裏側に溝を設けて形成した実用新案登録請求の範囲１記載の保温器。
【考案の詳細な説明】
【技術分野】
【０００１】
本考案は、本体裏側の凹凸部に接着剤を有する発熱体を貼ることを特徴とする保温器に関するものである。
【背景技術】
【０００２】
中空枕に粘着テープで使い捨カイロを貼る構成が実用新案登録公報第３０１９３０３号で知られている。しかし、使い捨てカイロの全面が接触しているので枕が高温度になり、場合によっては、低温やけどおこす事が問題であった
【特許文献１】実用新案登録公報第３０１９３０３号
【考案の開示】
【考案が解決しようとする課題】
【０００３】
本考案は、上記の欠点を解決するものであり、発熱体に充分な空気を与えると共に本体が高温になることを防ぐ目的である。
【課題を解決するための手段】
【０００４】
本考案の保温器は本体と本体の裏側に凹凸部を設け、前記突起に接着剤を有する発熱体を貼るもので、発熱体からの伝熱によって本体表面を加熱し手、足を暖めるものである。
【考案の効果】
【０００５】
本考案の保温器は、前述の手段を講じたので、凹凸部に発熱体の一部を接触させたので発熱体の一部の熱が伝わり、本体表面が適度な温度になり快適で安全である。
また、本体は中空形成体で裏側の凹凸部または凹凸部から一部の熱が徐々に伝わるので長時間保温できる。
【考案を実施するための最良の形態】
【０００６】
本考案の実施例を図に基づいて説明する。  
【実施例】
【０００７】
本考案を、手、足を暖める器具に応用したものについて説明する。
【０００８】
本体１は、耐熱性素材、陶磁器製で中空形成なる裏側に凹凸部１Ａが複数ありこの凹凸部１Ａの表面の平ら部分に発熱体２を接触させる。発熱体２には接着剤が塗布されており、発熱体２を本体１に押しつけにより熱が伝わる。凹凸部は、本体の一部に溝を設けることによって形成されている。
【０００９】
この凹凸部１Ａからの熱は、凹凸部１Ａを介して本体１に伝わり、本体１の表面に伝熱する。手、足を置くことにより暖めることができる。
【００１０】
前記の発熱体２は片面に接着剤が塗布した貼るカイロを使用したものである。
【００１１】
発熱体２は片面接着剤塗布部分が凹凸部１Ａと接触しており、熱が伝わりゆっくりと加熱されることになる。したがって、本体の表面は高温に保たれる一部の熱が伝わるので発熱体２この熱は急に失われること無く長時間発熱を続けられる。
【００１２】
発熱体２は不織布の袋に発熱性無機粉末混合物を入れた、発熱温度が４０℃〜５０℃以上となる物を使用する。
【００１３】
発熱体は、発熱性無機粉末混合物以外に、他の熱源を使用してもよく、また複数枚もちいてもよい。
溝の大きさや間隔は、発熱体の大きさや希望する温度によって変えてもよい。
また、溝ばかりでなく、突起体を設けて凹凸を形成してもよい。
本体の材質は、好ましくは陶磁器で製作すると快適性が高まるが、他の材質でもよい。また、本体を動物の形状にすると置物として使用できる。
【図面の簡単な説明】
【００１４】
【図１】本考案の実施例を示す構成図
【図２】同断面図
【図３】本考案の実施例の発熱体
【符号の説明】
【００１５】
１    本体  
１Ａ  凹凸部    
２    発熱体
【図１】
0003151088.tif 000003
【図２】
0003151088.tif 000004
【図３】
0003151088.tif 000005
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
内部に中空部を有する本体と、前記中空部を形成する面に凹凸部を設け、接着剤を有する発熱体と、前記凹凸部に前記発熱体を貼ることにより前記本体に熱を伝える保温器。
【請求項２】
凹凸部は本体に溝を設けて形成した実用新案登録請求の範囲１記載の保温器。
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
内部に中空部を有する本体と、接着剤を有する発熱体とからなり、前記中空部を形成する面に凹凸部を設け、前記凹凸部に前記発熱体を貼ることにより前記本体に熱を伝えることを特徴とする保温器。
【請求項２】
凹凸部は本体に溝を設けて形成した実用新案登録請求の範囲１記載の保温器。
(57)【要約】      （修正有）【課題】サイズ調整機能付き風防効果のある五徳を提供する。【解決手段】同じ金属板３枚からなる三角形の五徳であって、金属板に突起部分と突起部分を差し込める長角の溝があり、金属板相互に差し込むことを特徴とする。金属板中央の溝を用いて、アルコールバーナーと五徳を一体化できる。【選択図】図１
0003151081.tif 000002
【実用新案登録請求の範囲】
【請求項１】
図１の物を３個使用し、右側の突起部分を左の長角の穴に差込み風防効果のある三角型の五徳になる。
実用新案登録請求の範囲として、長角が２個以上開いている事により五徳の内寸が調整でき使用可能なことを特徴とする風防効果のある五徳。
【請求項２】
三角五徳の中央に２個ある横長角にアルコールバーナーの突起部分を３枚とも差込むことにより、五徳とバーナー本体が一体となることを特徴とする。
【考案の詳細な説明】
【技術分野】
【０００１】本発明は、使用するシングルバーナーの大きさに合わせて五徳の内面積を変える事が出来るサイズ調整機能付きで、五徳と市販バーナーとの一体化型を考えた発明である。
【背景技術】
【０００２】市販されている五徳では、専用の物が大半で種類も少なく代用するにも大きさの違いで使用できないバーナーも多数あります。
空き缶で自作するアルコールバーナーも例外ではありません。
【考案の開示】
【考案が解決しようとする課題】
【０００３】市販バーナーや自作バーナーの大小の大きさを視野におき、これ１台あれば何でも使えることを課題とする。
請求項２では、熱持ったバーナー本体でも家庭用テーブルや野外使用時にも、どんな地面状況でも対応できることを課題とする。
【課題を解決するための手段】
【０００４】五徳に長角の穴を２個以上開けて内面積を変えられるようにした。
横長角にバーナー本体を差込み、一体化と底から５ｍｍから１ｃｍ浮かせられるように設計をした。
【考案の効果】
【０００５】内面積が変えられる事により、大半のバーナーやアルコールバーナーに使用出来るようになった。
家庭用テーブルでもバーナー本体が浮いているので使用可能とし、一体化になっているので、どんなフィールドにも対応できる。
移動も五徳の隅を持てば、使用中でも移動ができる。
【考案を実施するための最良の形態】
【０００６】風防型の五徳に長角の穴を２個以上開けて、反対側に長角に差し込めるように加工をする。
五徳中央に横長角を２個以上開ける。
【考案を実施するための最良の形態】
【０００７】厚み１〜１．５ｍｍのアルミ板か鉄板を使用し、図１の様に加工して同じ物を３枚使用する。
【実施例】
【０００８】トランギア、エバニュー、スベア、ボルドーバーナー、自作アルコールバーナー等に問題なく使用出来ます。
【産業上の利用可能性】
【０００９】専用の五徳を探す手間を省き、現在市販されている大半のバーナーに対応出来るようになった。
【図面の簡単な説明】
【００１０】
【図１】  平面図
【図１】
0003151081.tif 000003
【手続補正書】
【提出日】平成20年7月7日(2008.7.7)
【手続補正１】
【補正対象書類名】実用新案登録請求の範囲
【補正対象項目名】全文
【補正方法】変更
【補正の内容】
【実用新案登録請求の範囲】
【請求項１】
同じ形の鉄板を３個使用して、１枚の形状は右側に突起部分があり左側に突起部分を差し込める縦長角の溝があり組み立て方法は、鉄板の右側の突起部分を、他の鉄板の左側に開いている溝に差込み、同じように３枚を差し込むと風防効果のある三角型の五徳が完成し、
今回発明した点は、鉄板に縦長角の溝が２個以上開いている事により五徳を小さくしたり大きくしたりサイズ調整が可能となった。
【請求項２】
請求項１の五徳を使用し、さらに改良した点は、市販のアルコールバーナーには、横に１ミリ程度の厚みで突起部分があり、３枚の五徳中央に横長角の溝を開ける事で、アルコールバーナーの突起部分が五徳中央の横長角の溝に差し込むことができ、アルコールバーナーと五徳が一体化になるようにした。
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
同じ形の金属板を３個使用して、１枚の形状は右側に突起部分があり左側に突起部分を差し込める縦長角の溝があり組み立て方法は、金属板の右側の突起部分を、他の金属板の左側に開いている溝に差込み、同じように３枚を差し込むと風防効果のある三角型の五徳が完成し、
今回発明した点は、金属板に縦長角の溝が２個以上開いている事により五徳を小さくしたり大きくしたりサイズ調整が可能となる。
【請求項２】
請求項１の五徳を使用し、さらに改良した点は、
市販のアルコールバーナーには、横に１ミリ程度の厚みで突起部分があり、３枚の五徳中央に横長角の溝を開ける事で、アルコールバーナーの突起部分が五徳中央の横長角の溝に差し込むことができ、アルコールバーナーと五徳が一体化となる。
【手続補正書】
【提出日】平成21年2月25日(2009.2.25)
【手続補正１】
【補正対象書類名】実用新案登録請求の範囲
【補正対象項目名】全文
【補正方法】変更
【補正の内容】
【実用新案登録請求の範囲】
【請求項１】
同じ形の金属板を３個使用して構成した三角型の五徳であって、１枚の形状は、右側に突起部分があり左側に突起部分を差し込める縦長角の溝があり、金属板の右側の突起部分を、他の金属板の左側に開いている溝に差込み、同じように３枚を差し込んで構成したことを特徴とする、三角型の五徳。
【請求項２】
３枚の五徳中央に横長角の溝を開ける事で、アルコールバーナーの突起部分を五徳中央の横長角の溝に差し込むことができ、アルコールバーナーと五徳を一体化できるようにした、請求項１記載の五徳。
(57)【要約】      （修正有）【課題】風流等によりからみつくことを防ぐ、からみ防止ロープを有する掲揚鯉のぼりを提供する。【解決手段】からみ防止用掲揚基本ロープＡの両端に、よりもどしサルカンａ・ｂを設け、掲揚物装着専用ロープＢと連結することにより、掲揚物のからみ防止ができる。【選択図】図１
0003151087.tif 000002
【実用新案登録請求の範囲】
【請求項１】
両端によりもどしサルカンを有するからみ防止用基本ロープにより、鯉のぼり等掲揚物が風流等により絡みつくことが防止できる掲揚鯉のぼり。
【考案の詳細な説明】
【技術分野】
【０００１】  本考案は、鯉のぼり等掲揚物が風流等によりからみつくのを防ぐために、掲揚基本ロープ両端に、よりもどしサルカンを装着した、掲揚鯉のぼりに関するものである。
【背景技術】
【０００２】  従来は、鯉のぼり等掲揚物を一本のロープにそれぞれ取り付けての掲揚でした、そのため風流等により、ロープのたわみ・ねじれ・掲揚物の不規則な動き等によりからみつきが生じておりました。
【考案の開示】
【考案が解決しようとする課題】
【０００３】  鯉のぼり等掲揚物の上げ下げ作業時と掲揚時の風流等による掲揚物・ロープ等のからみつきを解決しようとするものです。
【課題を解決するための手段】
【０００４】  請求項１に記載された内容です。
【考案の効果】
【０００５】  掲揚基本ロープの両端に、よりもどしサルカンを付けることにより、ロープのたわみ・ねじれや風流による掲揚物の不規則な動き等が軽減され、掲揚物の正常な掲揚状態が保たれ、さらに、掲揚基本ロープへの鯉のぼり等掲揚物装着ロープの取り付け・取り外しはフック掛け・結びでも有効です。
【図面の簡単な説明】
【０００６】
【図１】  鯉のぼりの掲揚実施全体図
【図２】  からみ防止用掲揚基本ロープの全体図と鯉のぼり等掲揚物装着ロープ
【符号の説明】
【０００７】    Ａ  からみ防止用掲揚基本ロープ      Ｂ  別途掲揚物装着専用ロープ
Ｃ  掲揚支柱（ポール）      Ｄ  滑車        Ｅ  ロープ止め
ａ  よりもどしサルカン      ｂ  よりもどしサルカン
【図１】
0003151087.tif 000003
【図２】
0003151087.tif 000004
【手続補正書】
【提出日】平成21年3月2日(2009.3.2)
【手続補正１】
【補正対象書類名】実用新案登録請求の範囲
【補正対象項目名】全文
【補正方法】変更
【補正の内容】
【実用新案登録請求の範囲】
【請求項１】
からみ防止用基本ロープの両端に、よりもどしサルカンを設け、鯉のぼり等掲揚物を装着した掲揚物装着ロープと連結することにより、鯉のぼり等掲揚物が風流等により絡みつくことが防止できる掲揚鯉のぼり。
(57)【要約】      （修正有）【課題】自動車の運転台から前方同様に後方を見えるようにする。【解決手段】自動車の後ろに監視カメラを設置し、後方の交通状況を撮影した映像を電線を通じて運転台に送り、それをカーナビゲーションで映像に復元して見ることができるようにする。【選択図】図１
0003151086.tif 000002
【実用新案登録請求の範囲】
【請求項１】
自動車の後ろに監視カメラを設置し、その映像を運転台で見る装置。
【考案の詳細な説明】
【技術分野】
【０００１】自動車の後ろに考案の監視カメラを取り付け、その写した映像を電線で運転台に送る。【０００２】それを映像に再現して見る。
【背景技術】
【０００３】そのため再現装置の「カーナビケーション」が必要である。
【考案の開示】
【考案が解決しようとする課題】
【０００４】現在自動車の運転台から後ろを見るためには、車外に設置した「バックミラー」を用いているが、自動車の長さによって差異はあるが、直近数メートルは見ることができないのを、前方同様に見えるようにする。
【課題を解決するための手段】
【０００５】自動車の後ろに監視カメラを設置し、後方の交通状況を撮影した映像を電線を通じて運転台に送り、それを「カーナビケーション」で映像に復元して見ることができるようにする。
【考案の効果】
【０００６】バックミラーを設置しないので、自動車の概観がすっきりし、運転者はそれに目を配る必要がないので、混雑した場所や夜間または豪雨の時なども、安易に安全運転ができるので、疲労も少なく交通事故も減る。
【考案を実施するための手段】
【０００７】自動車の生産には、必ず本装置を取り付けることを必須条件とする。
【実施例】
【０００８】まだ採用されていないので実施例は無いが、実施されれば視野が広くなるので、交通事故は必ず２〜３割は確実に減るものと思われる。【０００９】図１参照
【考案を実施するための最良の形態】
【００１０】自動車の販売には、必ず本装置を装着することを必須条件とする。
【実施例】
【００１１】まだ実施されていないのでその例は無いが、実施されれば交通事故は必ず減少する。
【産業上の利用可能性】
【００１２】実施されるようになれば、産業の各分野から多くの情が見込まれるものと思われる。【００１３】監視カメラで捉えた映像を、電線を通じて運転台に送り、それを「カーナビケーション」で復元して見る装置。【００１４】自動車は車体の長さにより、後方を見る範囲が異なるが、この装置では自動車の長さに関係なく後ろを見ることができる。【００１５】    従来のバックミラーでは、車外に設置されるので、降雨の激しいときや降雪の日には後方を完全に見ることができないが、この装置ではそれが大変緩和される。【００１６】    この装置では、夜間点灯することで前方同様の視覚が得られ、ことに車外のバックミラーに目を移す必要がないので、安全運転が容易である。【００１７】    監視カメラはフイルムを使用しないので費用が削減される。
【図面の簡単な説明】
【００１８】
【図１】は本考案の実施図。
【図１】
0003151086.tif 000003
【手続補正書】
【提出日】平成21年2月20日(2009.2.20)
【手続補正１】
【補正対象書類名】実用新案登録請求の範囲
【補正対象項目名】全文
【補正方法】変更
【補正の内容】
【実用新案登録請求の範囲】
【請求項１】
自動車の後方中央部に監視カメラを設置し、そのカメラで撮影した後方の交通状況を電線で運転台に送り、その映像をカーナビケーションで見る装置。